(57)【要約】      （修正有）【課題】接着剤が固まるまでの間、反発しようとする爪変形矯正装具を爪に強制的に圧着した状態を保持しやすい爪変形矯正装具を提供する。【解決手段】爪変形矯正装具１は、一本の金属ワイヤー２からなり、その一方の端部に平仮名のつの字状に折り曲げた巻き爪を引っ掛けるためのフック部３を設け、他方の端部には設定された長さの滑り止め加工部４を設ける。この滑り止め加工部により圧着子が滑るのを防ぎ、金属ワイヤーを爪表面に接着固定するまでの間、圧着保持しやすくした。【選択図】図１
0003188130.tif 000002
【実用新案登録請求の範囲】
【請求項１】
一本の金属ワイヤーからなり、その一方の端部を平仮名の「つ」の字状に折り曲げて巻き爪を引っ掛けるために設けたフック部と、他方の端部から設定された長さ部分に設けた滑り止め加工部とを有し、前記滑り止め加工部により前記金属ワイヤーを爪表面に接着固定するまでの間、圧着保持しやすくしたことを特徴とする爪変形矯正装具。
【請求項２】
前記滑り止め加工部は、前記金属ワイヤー表面にメッキ被膜または塗装被膜が形成された構造、前記金属ワイヤー表面の表面粗さを他の領域よりも大きくした構造、あるいはこれらの両方からなる構造であることを特徴とする請求項１に記載の爪変形矯正装具。
【考案の詳細な説明】
【技術分野】
【０００１】    本考案は、巻き爪や陥入爪等の爪の変形を矯正するための矯正装具に関する。
【背景技術】
【０００２】    巻き爪、陥入爪を矯正するための矯正装具および方法として、従来以下のものがある。一つはＶＨＯ法と呼ばれる方法である。ＶＨＯ法とは、
Ｖｉｒｔｕｏｓｅ（名人）、Ｈｕｍａｎ（人間の）、Ｏｒｔｈｏｎｙｘｉｅ（まっすぐ）の略で、命名は１９７９年であるが、この方法自体は半世紀以上前からドイツで行われてきた伝統的手法である。この手法は、金属製のフックを爪の両側縁に引っ掛け、ワイヤーを捻じることにより、爪中央部方向に牽引する力を生じさせて爪の湾曲を矯正する方法である。
他の矯正具としては、特許文献１に開示された矯正具および方法がある。この矯正具の構造はコの字状であり、爪の両外側縁に挿入される一対の端子、この一対の端子の間に延び、両端が一対の端子に固定され、一対の端子を弾性力により引き上げることにより、爪の両外側縁を引き上げる超弾性ワイヤーがあり、さらにこの超弾性ワイヤーに設けられ、爪上に配置されることにより、超弾性ワイヤーの中間部と爪との間に間隔を置くようにして超弾性ワイヤーの両端が一対の端子に作用する弾性力を向上させるブラケットを備えている構成からなる。この具体的な構成としては、金属製の幅数ｍｍで、コの字に湾曲した引っ掛け具を爪の両側縁に引っ掛け、それをワイヤーで爪の中央部に引っ張り、ブラケットに設けられたネジにより爪中央部方向に牽引する力を調整して爪の湾曲を矯正する方法である（特許文献１参照）。
しかし、上記の両方ともに両側の爪の側縁（以下、爪縁とよぶ。）にフックまたは引っ掛け具をかける必要がある。このためフックをかける爪縁の位置についてはほぼ同じ位置とせざるを得ない。このため、それぞれの爪縁についてフックをかけても痛みがなく、かつ最も効果的に矯正できる箇所をそれぞれ自由に選ぶことができなかった。また、陥入爪では、効果的に矯正できる爪縁は肉芽で覆われていることが多く、その為フックを掛けるときに痛みを伴い麻酔を要する場合がしばしばあり、医師による治療が必須となる。
また、特許文献２には、爪を軟化させてから矯正する矯正具および方法も開示されている（特許文献２参照）。この装具は、システイン、チオグリコール酸及びチオグリコール酸塩からなる群より選択される少なくとも１種の爪軟化剤により軟化した変形爪の矯正の際に使用される針状部材を含む矯正具であって、この針状部材がヤング率３０〜７５ＧＰａで、チタン、モリブデン、ジルコニウム及びスズからなるβ型チタン合金であり、かつ針状部材の少なくとも一端が圧延されて平坦化しており、圧延されて平坦化している部分が略コの字型又は略Ｕ字型の鈎形状を形成している構成からなる。この構成ではβ型チタン合金又はチタン系アモルファス合金を針状部材に用いており、所望の弾性、圧延性を与えることができる。その結果、還元作用を有する爪軟化剤を適用して変形爪の治療を行う場合に、従来よりも簡便、短時間かつ爪の損傷を少なくして治療することができる。
【先行技術文献】
【特許文献】
【０００３】
【特許文献１】実用新案登録第３１３３２３３号
【特許文献２】特開２０１２−１７０５１０号
【考案の概要】
【考案が解決しようとする課題】
【０００４】    引っ掛け具を爪の両側縁に引っ掛け、それをワイヤーで爪の中央部に引っ張り、ブラケットに設けられたネジにより爪中央部方向に牽引する構成の場合には、矯正装具を爪に接着する必要はない。しかし、この構成では巻き爪を矯正させるために巻き爪を広げる方向力を充分与えることができない。一方、特許文献２では、１本のワイヤー状の矯正装具を用いる構成と方法も記載されているが、爪に矯正装具を安定して接着固定するための具体的構成や方法についてはなんら記載も示唆もされていない。
１本のワイヤー状の爪変形矯正装具を用いる場合には、一方の端部で爪に引っ掛け、他方の端部から一定の長さ部分に掛けて爪に接着固定することが必要である。この場合、巻き爪にフック部を引っ掛けた後に、他方の端部から一定長さ部分を爪に接着固定するためには、反発しようとする爪変形矯正装具を爪に強制的に圧着した状態で接着剤が固まるまでの間、爪変形矯正装具を保持する必要がある。この保持には圧着子を用いるが、圧着子には接着剤が付着し難く、高強度で、繊細な作業ができる構造であることが要求される。このため一般にステンレス材が使われている。爪変形矯正装具の多くはステンレスまたはチタン合金のワイヤーが使われている。したがって両者とも硬い材料であることから、圧着子で接着固定するまでの間押し付けておく作業は、圧着子が滑りやすく、熟練者でも失敗することがある面倒な作業であった。
【課題を解決するための手段】
【０００５】    上記課題を解決するために本考案の爪変形矯正装具は、一本の金属ワイヤーからなり、その一方の端部を平仮名のつの字状に折り曲げて巻き爪を引っ掛けるために設けたフック部と、他方の端部から設定された長さ部分に設けた滑り止め加工部とを有し、この滑り止め加工部により金属ワイヤーを爪表面に接着固定するまでの間、圧着保持しやすくしたことを特徴とする。
また、上記構造の爪変形矯正装具において、滑り止め加工部は金属ワイヤー表面にメッキ被膜または塗装被膜が形成された構造、金属ワイヤー表面の表面粗さを他の領域よりも大きくした構造、あるいはこれらの両方からなる構造であることを特徴とする。
【考案の効果】
【０００６】このような構造の爪変形矯正装具とすることにより、巻き爪の爪縁に引っ掛けるフック部で巻き爪に容易に引っ掛けることができ、他方の端部から定められた長さ部分に設けられた滑り止め加工部により、圧着子を用いて爪の表面部に金属ワイヤーを接着剤が接着固化するまで確実に、かつ容易に圧着しておくことができる。また、滑り止め加工により金属ワイヤーと爪表面との接着性を向上することもできるので、長期間安定に巻き爪を広げる方向の力を与えることができ、巻き爪の矯正を確実にすることができる。
【図面の簡単な説明】
【０００７】
【図１】本考案の爪変形矯正装具を示す平面図である。
【図２】本考案の爪変形矯正装具を圧着子で押し付けて変形させる状態を示す    図である。
【図３】本考案の爪変形矯正装具と滑り止め加工部がない金属ワイヤーによる圧着子での押さえ状態を示す写真。（ａ）は本考案の爪変形矯正装具を用いた場合、（ｂ）は金属ワイヤーを用いた場合である。
【図４】本考案の爪変形矯正装具を用いて圧着子により爪に圧着した状態を示す写真である。
【図５】本考案の爪変形矯正装具を用いて片側の巻き爪に接着固定した状態を示す写真である。
【図６】本考案の爪変形矯正装具を用いて両側の巻き爪に接着固定した状態を示す写真である。
【考案を実施するための形態】
【０００８】  本考案の爪変形矯正装具の実施の形態について説明する。図１は、本考案の爪変形矯正装具１を示す平面図である。図２は、本考案の爪変形矯正装具１を圧着子５で押し付けて変形させる状態を示す図である。図３は、本考案の爪変形矯正具１と滑り止め加工がない金属ワイヤー２のみのものを用いて圧着子５で押さえた状態を示す写真であり、（ａ）は本考案の爪変形矯正具１を用いた場合、（ｂ）は金属ワイヤー２のみのものを用いた場合である。図４は、本考案の爪変形矯正装具１を用いて圧着子５により爪１１に圧着した状態を示す写真である。
本考案の爪変形矯正装具１は、一本の金属ワイヤー２からなり、その一方の端部を平仮名の「つ」の字状に折り曲げて巻き爪１２を引っ掛けるために設けた  フック部３と、他方の端部から設定された長さ部分に設けた滑り止め加工部４とを有し、この滑り止め加工部４により金属ワイヤー２を爪表面に接着固定するまでの間、圧着保持しやすくしたことを特徴とする。
この場合に、滑り止め加工部４は金属ワイヤー２表面にメッキ被膜または塗装被膜が形成された構造、金属ワイヤー表面の表面粗さを他の領域よりも大きくした構造、あるいはこれらの両方からなる構造としてもよい。
本実施の形態では、金属ワイヤー２はステンレス材を用いており、滑り止め加工部は銅メッキが施されている。このようにメッキ皮膜を形成することにより、圧着子５で爪変形矯正装具１の滑り止め加工部４を爪１１に圧着させることが容易にでき、かつ爪１１との密着性も改善できる。
なお、滑り止め加工部４は、金属ワイヤー２表面に銅メッキを形成することには限定されず、ニッケルメッキ、クロムメッキ、銀メッキなど、ステンレス材へのメッキが可能な材料であれば特に制約はない。このようなメッキをすることにより、圧着子５で爪変形矯正装具１の滑り止め加工部４を爪に押しつけても、圧着子５が滑りにくくなり、接着剤が接着固定されるまで確実に、かつ容易に押しつけておくことができる。また、メッキすることにより爪１１と爪変形矯正装具１との密着強度を改善することもできる。
また、メッキ以外の方法としては滑り止め加工部４に塗装被膜を形成してもよい。塗装被膜としては、例えばウレタン樹脂、アクリル樹脂など、比較的硬質の塗装被膜を形成でき、金属ワイヤー２への密着性のよいものであれば特に限定されない。さらに、メッキした上で塗装被膜を形成する構造としてもよい。また、滑り止め加工部は、金属ワイヤー２の表面荒さを元の状態に比べて大きくするようにしてもよい。表面荒さを大きくする方法としては、滑り止め加工部４を湿式エッチングして荒らす方法、サンドブラストにより荒らす方法、金属ワイヤー表面を切削したり、プレス加工したりして、例えばネジ溝形状や鋸形状を形成する方法などであってもよい。
この滑り止め加工部４は金属ワイヤー２の中で少なくともフック部３を除く領域全体に形成してもよいし、爪１１の表面を覆う領域で、かつ圧着子５を押し付けながら接着固定することができる長さ領域であればよい。
なお、本考案で用いることができる金属ワイヤーとしては、ステンレス材に限定されることなく、チタン合金やこれらと弾性強度が同程度の金属材料であれば用いることができる。その寸法としては、直径が０．２ｍｍ〜０．６ｍｍ程度とし、長さは爪の長さにあわせて適当に設定すればよい。
以下、本考案の爪変形矯正装具１の効果について説明する。図２は、本考案の爪変形矯正装具１を圧着子５で押し付けて変形させる状態を示す図である。破線は変形前の状態であり、実線は圧着子５で押し付けて変形を生じさせた場合の形状を示す。滑り止め加工部４を設けておけば、変形量を大きくでき、かつ安定して押し付けておくことができる。なお、図２は、固定冶具１５にフック部３を固定した状態とした後、圧着子５で押し付けながら曲げていき滑り止め加工部４の効果を評価するための実験方法を説明する図である。
図３は、図１に示す爪変形矯正装具１を圧着子５で押し付けたときの変形挙動を、滑り止め加工部を有しない金属ワイヤー２のみのものと比較した結果を示す写真である。（ａ）は本考案の爪変形矯正装具１を用いた場合の変形挙動であり、（ｂ）は金属ワイヤー２のみのものを用いた場合の変形挙動である。図からわかるように、本考案の爪変形矯正装具１は、滑り止め加工部４が設けられているので圧着子５を用いて押し付けても滑ってしまうことがなく、滑り止め加工部がない金属ワイヤー１５と比べて大きく撓ませることができる。
図４は、本考案の爪変形矯正装具１を用いて実際に圧着子５により爪１１に圧着した状態を示す写真である。フック部３を巻き爪１２に引っ掛けた後、圧着子５で爪１１の表面に沿って密着させるように押し付けておくことが容易にできる。これにより、接着剤６が固化するまで、確実に、かつ容易に押し付けておける。さらに、滑り止め加工部４は金属ワイヤー２の表面に比べて接着性も改善できるので、巻き爪１２を広げるような力を充分に発生させることができる。この爪変形矯正装具１を用いれば、指１０から突出した爪１１の巻き爪１２にフック部３を引っ掛けてから滑り止め加工部４を接着することができ、巻き爪１２を発症している患者に痛みを与えずに爪変形矯正装具１を装着することができる。
【実施例】
【０００９】  以下、本考案の実施例について、図５および図６を参照して説明する。図５は、本考案の爪変形矯正装具１を用いて片側の巻き爪１２に接着固定した状態を示す写真である。図６は、本考案の爪変形矯正装具１を用いて両側の巻き爪１２に接着固定した状態を示す写真である。図５から分かるように、フック部３を巻き爪１２に引っ掛けた後、滑り止め加工部４を爪１１の表面に沿って密着した状態として接着剤６により強固な接着ができた。
図６は、爪変形矯正装具１を２本用いて両側の巻き爪１２に適応した例である。フック部３を巻き爪１２に引っ掛け、滑り止め加工部４を爪１１の表面に接着するが、図６に示すように２本の爪変形矯正装具１をアルファベットのＸ字状に接着することで、患者に痛みを与えずに装着することができる。
【産業上の利用可能性】
【００１０】本考案の爪変形矯正装具は、装着される患者に苦痛を与えないで巻き爪などの陥入爪の矯正が容易にでき、陥入爪などの矯正に利用できる。
【符号の説明】
【００１１】１  爪変形矯正装具
２  金属ワイヤー
３  フック部
４  滑り止め加工部
５  圧着子
６  接着剤
１０  指
１１  爪
１２  巻き爪
１５  固定冶具
【図１】
0003188130.tif 000003
【図２】
0003188130.tif 000004
【図３】
0003188130.tif 000005
【図４】
0003188130.tif 000006
【図５】
0003188130.tif 000007
【図６】
0003188130.tif 000008